(57)【要約】  無線ネットワークにおける信頼性の高いマルチキャスト通信のための方法および装置が提供される。本発明の実施形態によれば、方法は、送信されるマルチキャスト通信の優先順位カテゴリを決定する段階を備える。方法は、優先順位カテゴリ、および、マルチキャスト通信受信者から受け取ったマルチキャスト診断情報に基づき、マルチキャスト通信受信者のうちの１つをマルチキャスト通信のためのリーダとして指定する段階も備える。リーダは、マルチキャスト通信資源からマルチキャスト通信フレームを受け取ったことを示す受け取り通知フレームをマルチキャスト通信資源に送信すべく指定される。【選択図】図１
2010517436.tif 000002
【特許請求の範囲】
【請求項１】
送信されるマルチキャスト通信の優先順位カテゴリを決定する段階と、
複数のマルチキャスト通信受信者のうちの１つを前記マルチキャスト通信のリーダとして指定する段階と、
を備え、
前記リーダは、マルチキャスト通信資源からマルチキャスト通信フレームを受け取ったことを示す受け取り通知フレームを前記マルチキャスト通信資源に送信すべく指定され、
前記リーダを指定する段階は、前記優先順位カテゴリ、および、前記複数のマルチキャスト通信受信者のうちの１つ以上から受け取ったマルチキャスト診断情報に基づく、
方法。
【請求項２】
前記優先順位カテゴリを決定する段階は、前記マルチキャスト通信に要求される信頼性の条件に基づく、請求項１に記載の方法。
【請求項３】
前記優先順位カテゴリを決定する段階は、一組の予め決められたルールに従い、前記優先順位カテゴリを決定する段階を有する、請求項１に記載の方法。
【請求項４】
前記優先順位カテゴリを決定する段階は、アプリケーションレベルにおけるトラフィック割り当てに従い、前記優先順位カテゴリを決定する段階を有する、請求項１に記載の方法。
【請求項５】
前記優先順位カテゴリを決定する段階は、前記マルチキャスト診断情報の分析に従い、前記優先順位カテゴリを決定する段階を有する、請求項１に記載の方法。
【請求項６】
前記マルチキャスト診断情報は、前記複数のマルチキャスト通信受信者のうちの１つ以上から受け取った、受信マルチキャストフレームカウント情報を含む、請求項１に記載の方法。
【請求項７】
前記リーダを指定する段階は、前記複数のマルチキャスト通信受信者の１つ以上のパフォーマンス測定基準に基づき、前記リーダを指定する段階を有する、請求項１に記載の方法。
【請求項８】
新しいリーダに関連付けられた前記パフォーマンス測定基準の１つ以上が、以前に指定されたリーダに関連付けられた対応するパフォーマンス測定基準より大きく、且つ、履歴条件が合致する場合、他のマルチキャスト通信受信者を前記新しいリーダとして指定し直す段階をさらに備える、請求項７に記載の方法。
【請求項９】
新しいリーダに関連付けられた前記パフォーマンス測定基準の１つ以上が、以前に指定されたリーダに関連付けられた対応するパフォーマンス測定基準より小さく、且つ、履歴条件が合致する場合、他のマルチキャスト通信受信者を前記新しいリーダとして指定し直す段階をさらに備える、請求項７に記載の方法。
【請求項１０】
通信デバイスであって、
複数のマルチキャスト通信受信者にマルチキャスト通信を送信する送信機と、
前記マルチキャスト通信の優先順位カテゴリを決定し、前記優先順位カテゴリ、および、前記複数のマルチキャスト通信受信者のうちの１つ以上から受け取ったマルチキャスト診断情報に基づき、前記複数のマルチキャスト通信受信者のうちの１つをリーダとして指定する診断ユニットと、
を備え、
前記リーダは、前記通信デバイスからマルチキャスト通信フレームを受け取ったことを示す受け取り通知フレームを送信すべく指定される、
通信デバイス。
【請求項１１】
前記優先順位カテゴリは、前記マルチキャスト通信に要求される信頼性の条件に基づく、請求項１０に記載の通信デバイス。
【請求項１２】
前記優先順位カテゴリは、一組の予め決められたルールに従い決定される、請求項１０に記載の通信デバイス。
【請求項１３】
前記優先順位カテゴリは、アプリケーションレベルにおけるトラフィック割り当てに従い決定される、請求項１０に記載の通信デバイス。
【請求項１４】
前記優先順位カテゴリは、前記マルチキャスト診断情報の分析に従い決定される、請求項１０に記載の通信デバイス。
【請求項１５】
前記マルチキャスト診断情報は、前記複数のマルチキャスト通信受信者のうちの１つ以上から受け取った、受信マルチキャストフレームカウント情報を含む、請求項１０に記載の通信デバイス。
【請求項１６】
前記診断ユニットは、前記複数のマルチキャスト通信受信者の１つ以上のパフォーマンス測定基準に基づき、前記リーダを指定する、請求項１０に記載の通信デバイス。
【請求項１７】
新しいリーダに関連付けられたパフォーマンス測定基準が、以前に指定されたリーダに関連付けられた対応するパフォーマンス測定基準より大きく、且つ、履歴条件に合致する場合、前記診断ユニットは、他のマルチキャスト通信受信者を新しいリーダとして指定し直す、請求項１０に記載の通信デバイス。
【請求項１８】
新しいリーダに関連付けられたパフォーマンス測定基準が、以前に指定されたリーダに関連付けられた対応するパフォーマンス測定基準より小さく、且つ、履歴条件に合致する場合、前記診断ユニットは、他のマルチキャスト通信受信者を新しいリーダとして指定し直す、請求項１０に記載の通信デバイス。
【請求項１９】
無線通信システムであって、
少なくとも１つの通信デバイスを備え、
前記少なくとも１つの通信デバイスは、
無線通信信号を送信するダイポールアンテナと、
複数のマルチキャスト通信受信者にマルチキャスト通信を送信する送信機と、
前記マルチキャスト通信の優先順位カテゴリを決定し、前記優先順位カテゴリ、および、前記複数のマルチキャスト通信受信者のうちの１つ以上から受け取ったマルチキャスト診断情報に基づき、前記複数のマルチキャスト通信受信者のうちの１つをリーダとして指定する診断ユニットと、
を有し、
前記リーダは、前記通信デバイスからマルチキャスト通信フレームを受け取ったことを示す受け取り通知フレームを送信すべく指定される、
無線通信システム。
【請求項２０】
前記通信デバイスは、前記受け取り通知フレーム、および、前記診断情報を受信する受信機を有する、請求項１９に記載の無線通信システム。
【請求項２１】
前記優先順位カテゴリは、前記マルチキャスト通信に要求される信頼性の条件に基づく、請求項１９に記載の無線通信システム。
【請求項２２】
命令を格納した機械可読媒体を備える物品であって、前記命令は、プロセッサにより実行されると、
送信されるマルチキャスト通信の優先順位カテゴリを決定する段階と、
複数のマルチキャスト通信受信者のうちの１つを前記マルチキャスト通信のリーダとして指定する段階と、
を備え、
前記リーダは、マルチキャスト通信資源からマルチキャスト通信フレームを受け取ったことを示す受け取り通知フレームを前記マルチキャスト通信資源に送信すべく指定され、
前記リーダを指定する段階は、前記優先順位カテゴリ、および、前記複数のマルチキャスト通信受信者のうちの１つ以上から受け取ったマルチキャスト診断情報に基づく、
物品。
【請求項２３】
前記命令は、実行されると、
前記マルチキャスト診断情報の分析に従い、前記優先順位カテゴリを決定する段階を行わせる、請求項２２に記載の物品。
【請求項２４】
前記命令は、実行されると、
前記複数のマルチキャスト通信受信者の１つ以上のパフォーマンス測定基準に基づき、前記リーダを指定する段階を行わせる、請求項２２に記載の物品。
【発明の詳細な説明】
【背景技術】
【０００１】
技術の発展に伴い、無線通信における信頼性の高いマルチキャストおよびブロードキャストの重要性がますます増してきている。組織においては、マルチキャストおよびブロードキャストがライブカンファレンス、ｗｅｂトレーニング、および、無線ネットワーク管理の配信のために必要な機能になってきているという現実によってこのことは例証されうる。家庭用のネットワークでは、ブロードキャストビデオストリーミングが家庭で楽しめるゲーム機器に利用されうる。病院では、ブロードキャストが商業広告およびテレビ放送に利用されうる。
【０００２】
１９９９年発行のＩＥＥＥ８０２．１１（ＩＳＯ／ＩＥＣ８８０２−１１：１９９９）規格などの既存の通信プロトコルは、信頼性のおけるマルチキャスト／ブロードキャスト通信をサポートできない。それは、受け取り通知メッセージ（ＡＣＫ）を複数の受信者と交換することができないからである。マルチキャスト通信である程度のレベルの信頼性を得るには、ＡＣＫによるマルチキャストトラフィックに応じて所定の無線ネットワークのためのリーダステーションを指定すればよく、これによって、パケットが少なくともリーダには無事送られたことがマルチキャストソースに通知される。しかしながら、ネットワークにおける信頼性とはパケットの再送信によって得られるので、信頼性が増すほど遅延が長くなるかまたはネットワーク全体のスループットが低下する可能性がある。
【図面の簡単な説明】
【０００３】
本発明の内容は、本願明細書の終わりの部分の請求項の範囲において特に明確に示されている。しかしながら、本発明の目的、特徴、および、利点は、構成および動作方法のいずれに関しても、添付の図面を参照しながら以下の詳細の説明を読むことによって最も理解が深まるであろう。
【０００４】
【図１】本発明のいつくかの実施形態に係る無線通信システムの一例を示す概略ブロック図である。
【０００５】
【図２】本発明のいくつかの実施形態に係るマルチキャスト通信の方法を示す概略フローチャートである。
【０００６】
説明の便宜上、図面中に示される構成要素は、必ずしも一定の比率で描かれていないことを理解されたい。例えば、明確にする目的で、いくつかの構成要素の寸法は、他の構成要素と比べて誇張されている場合もある。さらに、同様のまたは同じ構成要素を示す場合、複数の図面にわたり同じ参照符号が用いられうることも理解されたい。
【発明を実施するための形態】
【０００７】
以下の詳細な説明では、本発明の完全なる理解をもたらすべく数多くの特定の詳細が記載されている。しかしながら、これらの特定の詳細がなくても本発明を実施できることが当業者には理解できよう。他の例では、よく知られた方法、手順、コンポーネント、ユニット、および／または、回路は、本発明をあいまいにすることを避けるべく、詳細に記載していない。
【０００８】
本発明の実施形態は、ネットワークの特徴付けおよびトラフィックタイプを利用し、無線ネットワークにおけるブロードキャストおよびマルチキャストトラフィックに対してリーダノードの割り当てを動的に適応させる方法を提供しうる。本発明の実施形態によれば、方法は、トラフィックストリームの特徴、および、特定のトラフィックタイプの分布要件に基づき、各マルチキャストストリームを個別のリーダに割り当てる段階を備える。
【０００９】
本発明の実施形態は、さまざまな用途で用いられてよい。本発明のいくつかの実施形態は、さまざまなデバイスおよびシステムと共に用いられてよく、例えば、送信機、受信機、トランシーバ、送受信機、無線通信ステーション、無線通信デバイス、無線アクセスポイント（ＡＰ）、モデム、無線モデム、パソコン（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、ＰＤＡ（パーソナル携帯情報機器）デバイス、ハンドヘルドＰＤＡデバイス、ネットワーク、無線ネットワーク、ＬＡＮ（ローカルエリアネットワーク）、ＷＬＡＮ（無線ＬＡＮ）、ＭＡＮ（メトロポリタンエリアネットワーク）、ＷＭＡＭ（無線ＭＡＮ）、ＷＡＮ（ワイドエリアネットワーク）、ＷＷＡＭ（無線ＷＡＮ）、既存のＩＥＥＥ８０２．１１、８０２．１１ａ、８０２．１１ｂ、８０２．１１ｅ、８０２．１１ｇ、８０２．１１ｈ、８０２．１１ｉ、８０２．１１ｎ、８０２．１６、８０２．１６ｄ、８０２．１６ｅ規格、および／または、後続バージョン、および／または、上記規格のＬＴＥ（ロングタームエボリューション）に従い動作するネットワーク、ＰＡＮ（パーソナルエリアネットワーク）、ＷＰＡＮ（無線ＰＡＮ）、上記ＷＬＡＮおよび／またはＰＡＮおよび／またはＷＰＡＮネットワークの一部であるユニットおよび／またはデバイス、一方向および／または双方向無線通信システム、携帯無線電話通信システム、携帯電話、無線電話、ＰＣＳ（パーソナル通信システム）デバイス、無線通信デバイスを組み込んだＰＤＡデバイス、ＭＩＭＯ（Ｍｕｌｔｉｐｌｅ  Ｉｎｐｕｔ  Ｍｕｌｔｉｐｌｅ  Ｏｕｔｐｕｔ）トランシーバおよびデバイス、ＳＩＭＯ（Ｓｉｎｇｌｅ  Ｉｎｐｕｔ  Ｍｕｌｔｉｐｌｅ  Ｏｕｔｐｕｔ）トランシーバまたはデバイス、ＭＩＳＯ（Ｍｕｌｔｉｐｌｅ  Ｉｎｐｕｔ  Ｓｉｎｇｌｅ  Ｏｕｔｐｕｔ）トランシーバまたはデバイス、ＭＲＣ（Ｍｕｌｔｉ  Ｒｅｃｅｉｖｅｒ  Ｃｈａｉｎ）トランシーバまたはデバイス、「スマートアンテナ」技術またはマルチアンテナ技術などによるトランシーバまたはデバイスと共に用いられてよい。本発明のいくつかの実施形態では、例えば、無線周波数（ＲＦ）、赤外線（ＩＲ）、周波数分割多重方式（ＦＤＭ）、直交周波数分割多重方式（ＯＦＤＭ）、時分割多重方式（ＴＤＭＡ）、Ｅ−ＴＤＭＡ（拡張ＴＤＭＡ）、汎用パケット無線システム（ＧＰＲＳ）、拡張ＧＰＲＳ、符号分割多重アクセス（ＣＤＭＡ）、ＷＣＤＭＡ（Ｗｉｄｅｂａｎｄ  ＣＤＭＡ）、ＣＤＭＡ２０００、ＭＤＭ（Ｍｕｌｔｉ−Ｃａｒｒｉｅｒ  Ｍｏｄｕｌａｔｉｏｎ）、ＤＭＴ（Ｄｉｓｃｒｅｔｅ  Ｍｕｌｔｉ−Ｔｏｎｅ）、Ｂｌｕｅｔｏｏｔｈ（登録商標）、ＺｉｇＢｅｅ（商標）などの１つ以上のタイプの無線通信信号および／またはシステムと共に用いられることができる。本発明の実施形態は、さまざまな他の装置、デバイス、システム、および／または、ネットワークで用いられることができる。
【００１０】
無線通信技術は、無線周波数（ＲＦ）および赤外線を含んでよいが、本発明の範囲はこれらに限定されない。ＲＦ無線規格の例は、例えば、Ｂｌｕｅｔｏｏｔｈ（登録商標）、ＩＥＥＥ規格８０２．１１ａ、ＩＥＥＥ規格８０２．１１ｂ、１９９９年版、ＩＥＥＥ規格８０２．１１ｇ、および、ＨｏｍｅＲＦなどのプロトコルを含んでよいがこれらに限定されない。例えば、赤外線信号の例は、ＩｒＤＡ（ＩｎｆｒａＲｅｄ  Ｄａｔａ  Ａｓｓｏｃｉａｔｉｏｎ）規格などのプロトコルを含んでよいが、これに限定されない。
【００１１】
本発明の実施形態では、例えば、「処理」、「計算」、「算出」、「決定」、「確定」、「分析」、「確認」、などの説明中に用いられる用語は、コンピュータのレジスタおよび／またはメモリ内の物理（例えば電子）量を処理し、および／または、コンピュータのレジスタおよび／またはメモリ内の物理量として同様に表される他のデータに変換するコンピュータ、コンピュータプラットフォーム、コンピュータシステム、または、他の電子計算デバイス、および、または、動作および／または処理を実行させる命令を格納しうるメモリまたは他の情報記憶媒体の動作および／または処理のことを指すが限定の意味合いはない。
【００１２】
本発明の実施形態で用いられる用語「複数」および「複数の」は、例えば、「多数」または、「２つ以上」を含みうるが、限定の意味合いはない。「複数」または「複数の」という用語は、２つ以上のコンポーネント、デバイス、構成要素、ユニット、パラメータなどを説明するために本願明細書を通じて用いられてよい。例えば、「複数のステーション」は、２つ以上のステーションを含んでよい。
【００１３】
本願明細書中で用いられる「マルチキャスト／ブロードキャスト」という用語は、例えば、マルチキャスト通信、ブロードキャスト通信、無線マルチキャスト通信、有線マルチキャスト通信、無線ブロードキャスト通信、有線ブロードキャスト通信、インターネットまたはグローバル通信ネットワークにおけるマルチキャスト通信、インターネットまたはグローバル通信ネットワークにおけるブロードキャスト通信、ＴＣＰ／ＩＰを用いたマルチキャスト通信、ＴＣＰ／ＩＰを用いたブロードキャスト通信、ウェブキャスト通信（ワールドワイドウェブを用いた）、および／または、例えばユニキャスト通信でない他のタイプの通信を含むが、本発明の実施形態は、これらに限定されない。
【００１４】
図１を参照すると、本発明の例示的実施形態に係るマルチキャスト／ブロードキャスト通信を利用できる一例の無線通信システム１００のブロック図が概略的に示されている。システム１００は、例えば、ステーション１０１、１０２、１０３、および、１０４などの１つ以上の無線通信ステーションを有してよい。システム１００は、無線アクセスポイント（ＡＰ）１０５を有してよい。ステーション１０１から１０４は、マルチキャスト／ブロードキャスト受信デバイスと称し、ＡＰ１０５は、マルチキャスト／ブロードキャストソースデバイスと称してよい。
【００１５】
いくつかの実施形態では、ステーション１０１から１０４、および、ＡＰ１０５は、例えば、無線通信リンク１９１から１９５を介し、共用アクセス媒体１９０を用いてそれぞれ通信してよい。いくつかの実施形態では、ステーション１０１から１０４、および、ＡＰ１０５は、例えば、１９９９年に発行されたＩＥＥＥ８０２．１１（ＩＳＯ／ＩＥＣ８８０２−１１：１９９９）規格、ＩＥＥＥ８０２．１６規格などによって規定される無線通信規格またはプロトコルに従い通信することができる。
【００１６】
本発明のいくつかの実施形態によれば、例えば、ＡＰ１０５は、マルチキャストまたはブロードキャストを用いて２つ以上のステーションによって受信されるはずのデータを送信してよい。例えば、ＡＰ１０５は、システム１００のステーション群にデータを送信するにはマルチキャストを用い、システム１００の実質的にすべての受信可能状態にあるデバイスにデータを送信するにはブロードキャストを用い、ネットワークセグメントに基づき、リミテッドブロードキャスト機構を利用し、システム１００のホストデバイスにデータを送信するにはダイレクトブロードキャスト機構を用いてよい。いくつかの実施形態では、マルチキャスト／ブロードキャストは、無線メッシュネットワーク、アドホックネットワーク、ＢＳＳ（Ｂａｓｉｃ  Ｓｅｒｖｉｃｅ  Ｓｅｔ）、ＩＢＳＳ（Ｉｎｄｅｐｅｎｄｅｎｔ  ＢＳＳ）、または、インフラネットワークなどを介して実行されてよい。
【００１７】
ステーション１０１は、例えば、プロセッサ１１１、入力ユニット１１２、出力ユニット１１３、メモリユニット１１４、記憶装置１１５、および、送信機１２０および受信機１３０を有するモデムを備えてよい。ステーション１０１は、他の適切なハードウェアコンポーネント、および／または、ソフトウェアコンポーネントを任意で有してよい。いくつかの実施形態では、ステーション１０１のコンポーネントは、例えば、共通のハウジング、または、パッケージなどに収容されてよい。
【００１８】
プロセッサ１１１は、例えば、ＣＰＵ（中央処理装置）、デジタルシグナルプロセッサ（ＤＳＰ）、マイクロプロセッサ、ホストプロセッサ、コントローラ、複数のプロセッサまたはコントローラ、チップ、マイクロチップ、１つ以上の回路、回路構成、論理演算装置、集積回路（ＩＣ）、特定用途向け集積回路（ＡＳＩＣ）、または、他の適切な多目的または特定用途プロセッサあるいはコントローラを含んでよい。プロセッサ１１１は、例えば、ステーション１０１により送信および／または受信される信号および／またはデータを処理してよい。
【００１９】
入力ユニット１１２は、例えば、キーボード、キーパッド、マウス、タッチパッド、スタイラス、マイクロフォン、または、他の適切なポインティングデバイスまたは入力デバイスを含んでよい。出力ユニット１１３は、例えば、ブラウン管（ＣＲＴ）モニタ、または、ディスプレイ、液晶ディスプレイ（ＬＣＤ）モニタまたはディスプレイ、スクリーン、モニタ、スピーカ、または、他の適切なディスプレイあるいは出力デバイスを含んでよい。
【００２０】
メモリユニット１１４は、例えば、ＲＡＭ（ランダムアクセスメモリ）、ＲＯＭ（リードオンリーメモリ）、ＤＲＡＭ（ダイナミックＲＡＭ）、ＳＤ−ＲＡＭ（シンクロナスＤＲＡＭ）、フラッシュメモリ、揮発性メモリ、不揮発性メモリ、キャッシュメモリ、バッファ、短期記憶、長期記憶、あるいは、他の適切なメモリユニットまたは記憶装置を含んでよい。記憶装置１１５は、例えば、ハードディスクドライブ、フロッピーディスクドライブ、ＣＤドライブ、ＣＤ−ＲＯＭドライブ、あるいは、他の適切な取り外し可能または固定の記憶装置を含んでよい。メモリユニット１１４および／または記憶装置１１５は、例えば、ステーション１０１から送信および／または受信されるデータを格納してよい。
【００２１】
送信機１２０は、例えば、アンテナ１２１を介してＲＦ信号を送信することができる無線周波数（ＲＦ）送信機を含んでよい。受信機１３０は、例えば、アンテナ１３１を介してＲＦ信号を受信できるＲＦ受信機を含んでよい。いくつかの実施形態では、例えば、送信機１２０および／または受信機１３０は、トランシーバまたは送受信機、モデム１２５、ネットワークインターフェースカード（ＮＩＣ）、または、無線通信信号、ブロック、フレーム、送信ストリーム、パケット、メッセージ、および／または、データを送信および／または受信する個別のまたは統合機能を実行できる１つ以上のユニットを用いて実装されてよい。
【００２２】
アンテナ１２１および／またはアンテナ１３１は、例えば、ダイポールアンテナ、モノポールアンテナ、全方向アンテナ、エンドフェッドアンテナ、円偏波アンテナ、マイクロストリップアンテナ、ダイバーシティアンテナなどの内部または外部ＲＦアンテナ、あるいは、無線通信信号、ブロック、フレーム、送信ストリーム、パケット、メッセージ、および／または、データを送信および／または受信するのに適した他のいかなるタイプのアンテナであってよい。いくつかの実施形態では、アンテナ１２１およびアンテナ１３１は、例えば送信／受信アンテナなどの共通または単独のアンテナ、あるいは、一組の共通の送信／受信アンテナを用いて任意で実装されてよい。
【００２３】
いくつかの実施形態では、ステーション１０１、または、ステーション１０１から１０４の１つ以上は、例えば、管理・制御ユニット１４１と、診断ユニット１４２とを有してよい。管理ユニット１４１は、マルチキャスト／ブロードキャスト通信に関する動作を実行することにより、例えば、「リーダ」割り当てに関するプロトコルメッセージの交換、診断ユニット１４２の管理、または、本発明のいくつかの実施形態に係るマルチキャスト／ブロードキャスト通信に関する他の動作を実行してよい。マルチキャスト／ブロードキャスト管理ユニット１４１、および／または、診断ユニット１４２は、例えば、個別のコンポーネントまたはユニット、一体型または結合ユニット、ハードウェアコンポーネント、ソフトウェアコンポーネントを用い、プロセッサ１１１またはモデム１２５などの一部として任意で実装されてよい。
【００２４】
診断ユニット１４２は、分析動作を実行し、ＡＰ１０５に送信されるべき診断情報を生成してよい。ステーション１０１の診断ユニット１４２によって生成される診断情報は、受信されたマルチキャスト／ブロードキャストフレームカウント、１つ以上の受信されたマルチキャスト／ブロードキャストフレーム（例えば最後に受信されたかまたは最近受信されたマルチキャスト／ブロードキャストフレーム）に関連する受信されたチャネルパワーインジケータ（ＲＣＰＩ）、１つ以上の受信されたマルチキャスト／ブロードキャストフレーム（例えば最近受信されたマルチキャスト／ブロードキャストフレーム）に関連する受信された信号対雑音比インジケータ（ＲＳＮＩ）、または、１つ以上の受信されたマルチキャストフレームまたは着信したマルチキャスト／ブロードキャスト送信に関連付けられた品質インジケータを含んでよいが、これらに限定されない。本発明の実施形態は、上記診断情報に限定されず、測定基準は、診断ユニット１４２によってＡＰ１０５に報告されうることを理解されたい。
【００２５】
本発明のいくつかの実施形態では、ステーション１０１から１０４の１つ以上は、予め定められた条件に適合する場合、トリガイベントなどに応じて、例えば、周期的に、予め定められた間隔で、要求に応じて、自動的に、診断情報をＡＰ１０５に送信してよい。
【００２６】
ＡＰ１０５は、例えば、アンテナ１６０および１７０、プロセッサ１６２、送信機１６４、受信機１６６などを有してよい。アンテナ１６０および１７０は、全方向アンテナ、モノポールアンテナ、ダイポールアンテナ、エンドフェッドアンテナ、円偏波アンテナ、マイクロストリップアンテナ、ダイバーシティアンテナ、ＧＰＳアンテナなどであってよいが、本発明の範囲はこれらに制限されない。２つのアンテナは、異なってよく、例えば、一方はダイポール、もう一方はエンドフェッドであってよい。いくつかの実施形態では、送信機１６４は、アンテナ１６０に結合され、受信機１６６は、アンテナ１７０に結合されてよい。本発明の他の実施形態では、送信機１６４および受信機１６６の両方が単一のアンテナ１６０に結合されてよい。
【００２７】
ＡＰ１０５は、例えば、着信したマルチキャスト／ブロードキャスト診断情報を分析する、リーダステーションを選択または選択しなおす、着信したマルチキャスト／ブロードキャスト診断情報をモニタする、受信された（受信されると予測される）マルチキャスト／ブロードキャスト受け取り通知フレームをモニタする、マルチキャスト／ブロードキャスト受け取り通知スキームを起動するまたは無効にする（あるいは修正する）などのマルチキャスト／ブロードキャスト通信の管理に関する動作を実行できるマルチキャスト／ブロードキャスト管理・制御ユニット１５２をさらに有してよい。マルチキャスト／ブロードキャスト管理ユニット１５２は、例えば、一体型または結合ユニット、ハードウェアコンポーネント、ソフトウェアコンポーネント、を用い、ＡＰ１０５のプロセッサまたはモデムなどの一部として任意で実装されてよい。
【００２８】
本発明の実施形態によれば、ＡＰ１０５は、マルチキャストまたはブロードキャストを介し、ＡＰ１０５によって複数のステーションに送信された通信の分析および特徴付けを実行し、１つ以上のステーション１０１から１０４などの１つ以上から受信した診断情報に関する分析動作を実行することができる診断ユニット１５４を有してよい。分析は、ストリームのトラフィック信頼性の特徴付けを決定することを含んでよい。例えば、ある送信は、商用または広告であってよく、すべてではないがほとんどのステーションがトラフィックを受信することを許容でき、また、ある送信は、緊急のマルチキャストメッセージまたはネットワーク管理メッセージであってよく、最大数のステーションがトラフィックを受信できることが望ましい。
【００２９】
分析および特徴付けは、さまざまな手段によってなされてよく、さまざまな手段は、情報技術（ＩＴ）に基づく一連の規則、アプリケーションレベルのトラフィック配分、および、確定したパターンおよび／またはネットワーク条件に基づくマルチキャストトラフィックストリームの自動発見的解析を含むがこれらに限定されない。
【００３０】
本発明の実施形態によれば、診断ユニット１５４は、ＡＰ１０５により送信されるトラフィックストリームのタイプに従い、「リーダ」ステーションを割り当てるのに最も適した診断測定基準をさらに選択してよい。例えば、ビデオストリームのマルチキャストに対して、第１の診断測定基準が選択されてよく、データストリームに対しては、異なる診断測定基準が選択されてよい。いくつかの状況では、情報ができるだけ素早く転送されることが重要であり、その結果、データのレイテンシが重要な測度となってよい。他のマルチキャストについては、正確さが最も重要なので、フレーム損失率と信号のＳ／Ｎ比とが該当する測定基準となってよい。
【００３１】
本発明のいくつかの実施形態によれば、所定のマルチキャストに対し、診断ユニット１５４は、マルチキャスト通信の特徴付けと、マルチキャスト／ブロードキャスト受信者（ステーション１０１から１０４）から受け取った診断情報とに基づき選択された診断測定基準に従い、すべてのマルチキャスト／ブロードキャスト受信者の中からリーダステーションを選択してよい。
【００３２】
いくつかの実施形態では、マルチキャストに関連付けられた測定基準に基づき、選択されたマルチキャストについての「リーダ」ステーション（例えば、容認者ステーション、受け取り通知送信者ステーション、確認ステーション、指定されたステーション、割り当てられたステーション、選択されたステーション、選択的に指定されたステーション、指名されたステーション、選ばれたステーション、代表ステーション、代表受信者ステーションなど）として動作するよう、ステーション１０１から１０４のうちの１つが指定（例えばＡＰ１０５によって）されてよい。
【００３３】
例示的実施形態では、例えば、所定のマルチキャストに対し、ステーション１０１がリーダステーションとして指定されてよく、ステーション１０２から１０４は、リーダステーションとして指定されなくてよい。リーダステーション１０１は、例えば、ＡＰ１０５とプロトコルメッセージを交換してよい。例えば、リーダステーション１０１がＡＰ１０５からマルチキャスト／ブロードキャストフレームを受信した場合、リーダステーション１０１は、受け取り通知（ＡＣＫ）パケットまたはメッセージをＡＰ１０５に送信してよい。また一方で、ＡＰ１０５によってステーション１０４が次のマルチキャストのリーダに指定されてもよい。このことは、２つの送信に対して異なる組の測定基準が用いられるという事実、２つのブロードキャスト間における環境の何らかの物理的変化、２つのマルチキャストの品質の相違、いくつかの要因の組合せ、あるいは、前述していない他の組の要因を一部または完全に原因として起きてよい。
【００３４】
次に図２を参照すると、本発明のいくつかの例示的実施形態に係るマルチキャスト通信の方法を示す概略フローチャートが示されている。この手順は、図に示すように、マルチキャストまたはブロードキャストのそれぞれに実行されてよい。方法の動作は、例えば、図１のシステム１００、図１のステーション１０１から１０４のいずれかまたはすべて、図１のＡＰ１０５、および／または、他の適切なユニット、デバイス、および／またはシステムによって実装されてよい。
【００３５】
ボックス２１０に示されるように、方法は、ＡＰ１０５からマルチキャストまたはブロードキャストを介して複数のステーションに送信される通信の分析および特徴付けを実行する段階と、ストリームのトラフィック信頼性特徴付けを決定する段階とを備える。本発明のいくつかの実施形態では、方法は、各タイプのマルチキャスト／ブロードキャストトラフィックに対して優先順位カテゴリを割り当てる段階を有する。
【００３６】
ボックス２２０に示すように、方法は、例えば、緊急のブロードキャストが最も高い優先順位カテゴリに割り当てられ、当該ブロードキャストの適切な測定基準はフレーム損失率（ＦＬＲ）であるというような所定のマルチキャストまたはブロードキャストの特徴付けに基づき、適切なパフォーマンス測定基準（単数または複数）を決定する段階を有してよい。パフォーマンス測定基準が選択されると、例えば緊急のブロードキャストに対して初期閾値が設定されてよい。リーダは、最低ＦＬＲを有するステーションであってよく、ＦＬＲ閾値の初期設定が１００％であることにより、応答しているステーションはすべてより良い、すなわち、より低いＦＬＲを有する。選択されたパフォーマンス測定基準が最大にされるべき場合では、閾値の初期値は、最小の可能な値に設定されてよく、その結果応答しているステーションはすべてより良い、すなわち、より高い値を有する。
【００３７】
後に、最低ＦＬＲを初期値として有するステーションを選ぶことによって最初のリーダが選択されてよい。ＦＬＲが用いられる場合、本実施形態におけるそれぞれのステーションであるステーション１０１から１０４のいずれかまたはすべては、ＡＰ１０５に実際に値を報告することに留意されたい。値は、フレームカウントであってよい。ＡＰ１０５は、いくつのフレームがブロードキャストかを知っているので、フレームカウントに基づきＦＬＲを決定してよい。
【００３８】
本発明のいくつかの実施形態では、いくつかの測定基準について、履歴条件を設定することが望ましい（テキストボックス２２０）。あるいは、いくつかの測定基準が非常に早く変化する場合、指定されるリーダも絶えず変わってよい。したがって、リーダを指定するために用いられる現在のパフォーマンス閾値をそのリーダの以前のパフォーマンスのとおりに設定するのではなく、リーダの以前の測定基準から特定のパーセンテージ分閾値を調整するのが有益であり、例えば、測定基準が最大化されるべきものである場合、閾値は、リーダの以前に測定されたパフォーマンスより２０％高く設定されてよく、測定基準が最小化されるべきものである場合、閾値は、リーダの以前のパフォーマンスより１０％低く設定されてよい。
【００３９】
本発明の他の実施形態によれば、閾値は、単純に、現在のリーダの現在のパフォーマンスと等しく設定されてもよいし、あるいは、閾値は、マルチキャスト／ブロードキャストのタイプ、または、マルチキャスト／ブロードキャストに関連付けられた必要条件によって決定される固定値であってよい。
【００４０】
ボックス２３０で示されるように、方法は、例えば、ステーション１０１から１０４または他のマルチキャスト／ブロードキャスト受信者によって生成されるマルチキャスト／ブロードキャスト診断情報をＡＰ１０５で受信する段階と、受信された情報に基づき、報告するステーションのそれぞれについて、選択されたパフォーマンス測定基準を計算する段階とを任意で有してよい。診断情報は、例えば、受信したマルチキャスト／ブロードキャストフレームカウント、受信した信号強度インジケータ、パケット誤り率、信号対雑音比、測定されたレイテンシ、測定されたジッタ、または、他の情報を含んでよく、マルチキャスト／ブロードキャストについて選択されたパフォーマンス測定基準を決定するのに用いられる測定基準に限定してもしなくてもよい。
【００４１】
ＡＰ１０５は、マルチキャスト／ブロードキャストのそれぞれのタイプについて異なるパフォーマンス測定基準またはパフォーマンス測定基準の組を計算または推定してよく、測定基準は、例えば、ステーションに関連付けられたＦＬＲ、ステーションごとの平均ＦＬＲ、ステーションごとの平均受信信号対雑音比（ＳＮＲ）、ステーションごとの平均受信信号強度（ＲＳＳＩ）、ステーションごとの平均レイテンシ、ステーションごとの平均ジッタなど、および／または、上記測定基準の組合せ、および、特定のタイプの送信に役立つと思われる他のいかなる種類の測定基準であってよい。
【００４２】
本発明の実施形態によれば、方法は、例えば、最高のパフォーマンス測定基準に関連付けられた最高のパフォーマンスを示すステーションをリーダとして指定する段階を備えてよい。そして、ＡＰ１０５は、ステーションのパフォーマンス測定基準間の比較に基づき、ステーション１０１から１０４から受け取った診断情報を定期的に分析してよく、リーダは、選択された履歴値を用い、リーダを指定し直すことが必要かどうかを決定してよい。リーダのパフォーマンスが特定の量またはパーセンテージによって予め定められるように甚だしく低下した場合、本発明のいくつかの実施形態は、ボックス２４０から２６０に記載されるような新しいリーダの選択ループを開始してよい。
【００４３】
ひし形ブロック２４０に示されるように、選択されたパフォーマンス測定基準が最大化されるべきものである場合、ＡＰ１０５は、例えばステーション１０３などの指定されていないステーションのパフォーマンス測定基準がリーダのパフォーマンス測定基準より大きいかどうか、そして履歴条件に合致するかを確認してよい。肯定であれば、ステーション１０３は、ＡＰ１０５によって新しいリーダに指定される（ボックス２５０）。否定であれば、現在のリーダステーションであるステーション１０１がリーダのままであり続ける（ボックス２６０）。
【００４４】
同様に、選択されたパフォーマンス測定基準が最小化されるべきものである場合、ＡＰ１０５は、例えばステーション１０３などの指定されていないステーションのパフォーマンス測定基準がリーダのパフォーマンス測定基準より小さいかどうか、そして履歴条件に合致するかを確認してよい。肯定であれば、ステーション１０３は、ＡＰ１０５によって新しいリーダに指定される（ボックス２５０）。否定であれば、現在のリーダステーションであるステーション１０１がリーダのままであり続ける（ボックス２６０）。
【００４５】
本発明の実施形態によれば、リーダまたは潜在的なリーダの決定がなされたことが識別されるたびに、ＡＰ１０５の管理・制御ユニット１５２は、マルチキャスト／ブロードキャストリーダアサインリクエストをステーション１０１の管理・制御ユニット１４１に送信してよい。それに応じて、管理・制御ユニット１４１は、マルチキャスト／ブロードキャストリーダアサインレスポンスをＡＰ１０５の管理ユニット１５２に送信してよい。ＡＰ１０５の診断ユニット１５２は、マルチキャスト／ブロードキャスト診断情報リクエストをステーション１０１の診断ユニット１４２に送信してよい。それに応じて、ステーション１０１の診断ユニット１４２は、マルチキャスト／ブロードキャスト診断情報レポート（または他の適切なレスポンス）をＡＰ１０５の診断ユニット１５４に送信してよい。
【００４６】
いくつかの実施形態では、任意で、ＡＰ１０５および／またはステーション１０１間の通信（例えば、ＡＣＫパケットまたはメッセージ、リーダとして指定するリクエスト、リーダとして指定するリクエストへのレスポンスなど）は、送信要求（ＲＴＳ）機構、受信準備完了（ＣＴＳ）機構、ＲＴＳ／ＣＴＳ機構、または、他の適切なプロトコル機構を利用してよい。
【００４７】
いくつかの実施形態では、リーダステーション１０１は、ブロードキャスト／マルチキャスト中のいかなる時点でも、当該リーダステーションがＡＰ１０５と共有している無線ネットワークとの接続をまさに解除しようとしている（移動、ログオフ、あるいは、退出または終了）こと、または、ＡＰ１０５は当該無線ネットワークとはもう接続していないことを示す通知をＡＰ１０５に送信する。これに応じて、ＡＰ１０５は、例えば、無線ネットワークに残っているステーション１０２から１０４のうちの１つ以上から受信した診断情報に基づき、他のステーションを残りのマルチキャストのための「リーダ」として指定してよい。
【００４８】
いくつかの実施形態では、「リーダ」を基盤としたマルチキャスト／ブロードキャスト受け取り通知スキームは、例えば、マルチキャスト／ブロードキャスト通信の信頼性を高め、ネットワークパフォーマンス全体を高め、ネットワークスループット全体を高めてよい。いくつかの実施形態では、例えば、マルチキャスト／ブロードキャスト通信資源にリンクレベル信頼性インジケータが提供されてよい。本発明の実施形態は、追加のおよび／または他の便益または利益も可能にする。
【００４９】
本発明のいくつかの実施形態は、特定のアプリケーションに適するようなソフトウェア、ハードウェア、または、ソフトウェアおよび／またはハードウェアの組合せによって、あるいは、特定の設計条件に従い、実装されてよい。本発明の実施形態は、別々であるか、または、一体化または部分的に組み合わされてよいユニットおよび／またはサブユニットを含んでよく、既知の特定多用途または汎用プロセッサまたはコントローラ、あるいは、デバイスを用いて実装されてよい。本発明のいくつかの実施形態は、データを一時的にまたは長期に格納する、または、特定の実施形態の動作を容易にする目的で、バッファ、レジスタ、スタック、記憶装置および／またはメモリユニットを有してよい。
【００５０】
本発明のいくつかの実施形態は、例えば、機械可読媒体または物品を用いて実装されてよく、当該機械可読媒体または物品は、例えば、図１のシステム１００、図１のステーション１０１、図１のプロセッサ１１１、または、他の適切な機械によって実行されると、本発明の実施形態に係る方法および／または動作を機械に実行させる命令または一連の命令を格納してよい。このような機械は、例えば、いかなる適切な処理プラットフォーム、コンピュータプラットフォーム、コンピュータデバイス、処理デバイス、コンピュータシステム、処理システム、コンピュータ、または、プロセッサ等を含んでよく、ハードウェアおよび／またはソフトウェアのいかなる適切な組合せを用いて実装されてよい。機械可読媒体または物品は、例えば、いかなる適切なタイプのメモリユニット（例えばメモリユニット１１４または記憶装置１１５）、メモリデバイス、メモリ物品、メモリ媒体、記憶装置、記憶物品、記憶媒体および／または記憶装置を含んでよく、例えば、メモリ、取り外し可能または固定の媒体、消去可能または消去不可能な媒体、書き込み可能または再書き込み可能な媒体、デジタルまたはアナログ媒体、ハードディスク、フロッピーディスク（登録商標）、ＣＤ−ＲＯＭ、ＣＤ−Ｒ、ＣＤ−ＲＷ、光ディスク、磁気ディスク、さまざまなタイプのＤＶＤ、テープ、または、カセット等を含んでよい。命令は、例えば、ソースコード、コンパイルコード、翻訳済みコード、実行可能コード、スタティックコード、または、ダイナミックコード等のいかなる適切なタイプのコードを含んでよく、例えば、Ｃ、Ｃ＋＋、Ｊａｖａ（登録商標）、ＢＡＳＩＣ、Ｐａｓｃａｌ、Ｆｏｒｔｅａｎ、Ｃｏｂｏｌ、アセンブラ言語、または、マシンコード等のいかなる適切なハイレベル、ローレベル、オブジェクト指向、ビジュアル、コンパイル済み、および／または、翻訳済みプログラミング言語を用いて実装されてよい。
【００５１】
本発明の実施形態に従い、他の動作または一連の動作も用いられてよい。
【００５２】
これまで本発明の特定の特徴を例示し、説明してきたが、多くの修正、代替、変更、および、均等物が存在することを当業者であれば想定できよう。したがって、添付の請求項は、そのような修正および変更のすべてを本発明の真の趣旨の範囲内に収まるものとして保護することを意図していると理解されたい。
【図１】
2010517436.tif 000003
【図２】
2010517436.tif 000004
【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
送信されるマルチキャスト通信の優先順位カテゴリを決定する段階と、
複数のマルチキャスト通信受信者のうちの１つを前記マルチキャスト通信のリーダとして指定する段階と、
を備え、
前記リーダは、マルチキャスト通信資源からマルチキャスト通信フレームを受け取ったことを示す受け取り通知フレームを前記マルチキャスト通信資源に送信すべく指定され、
前記リーダを指定する段階は、前記優先順位カテゴリ、および、前記複数のマルチキャスト通信受信者のうちの１つ以上から受け取ったマルチキャスト診断情報に基づく、
方法。
【請求項２】
前記優先順位カテゴリを決定する段階は、前記マルチキャスト通信に要求される信頼性の条件に基づく、請求項１に記載の方法。
【請求項３】
前記優先順位カテゴリを決定する段階は、一組の予め決められたルールに従い、前記優先順位カテゴリを決定する段階を有する、請求項１に記載の方法。
【請求項４】
前記優先順位カテゴリを決定する段階は、アプリケーションレベルにおけるトラフィック割り当てに従い、前記優先順位カテゴリを決定する段階を有する、請求項１に記載の方法。
【請求項５】
前記優先順位カテゴリを決定する段階は、前記マルチキャスト診断情報の分析に従い、前記優先順位カテゴリを決定する段階を有する、請求項１に記載の方法。
【請求項６】
前記マルチキャスト診断情報は、前記複数のマルチキャスト通信受信者のうちの１つ以上から受け取った、受信マルチキャストフレームカウント情報を含む、請求項１に記載の方法。
【請求項７】
前記リーダを指定する段階は、前記複数のマルチキャスト通信受信者の１つ以上のパフォーマンス測定基準に基づき、前記リーダを指定する段階を有する、請求項１に記載の方法。
【請求項８】
新しいリーダに関連付けられた前記パフォーマンス測定基準の１つ以上が、以前に指定されたリーダに関連付けられた対応するパフォーマンス測定基準より大きく、且つ、履歴条件が合致する場合、他のマルチキャスト通信受信者を前記新しいリーダとして指定し直す段階をさらに備える、請求項７に記載の方法。
【請求項９】
新しいリーダに関連付けられた前記パフォーマンス測定基準の１つ以上が、以前に指定されたリーダに関連付けられた対応するパフォーマンス測定基準より小さく、且つ、履歴条件が合致する場合、他のマルチキャスト通信受信者を前記新しいリーダとして指定し直す段階をさらに備える、請求項７に記載の方法。
【請求項１０】
通信デバイスであって、
複数のマルチキャスト通信受信者にマルチキャスト通信を送信する送信機と、
前記マルチキャスト通信の優先順位カテゴリを決定し、前記優先順位カテゴリ、および、前記複数のマルチキャスト通信受信者のうちの１つ以上から受け取ったマルチキャスト診断情報に基づき、前記複数のマルチキャスト通信受信者のうちの１つをリーダとして指定する診断ユニットと、
を備え、
前記リーダは、前記通信デバイスからマルチキャスト通信フレームを受け取ったことを示す受け取り通知フレームを送信すべく指定される、
通信デバイス。
【請求項１１】
前記優先順位カテゴリは、前記マルチキャスト通信に要求される信頼性の条件に基づく、請求項１０に記載の通信デバイス。
【請求項１２】
前記優先順位カテゴリは、一組の予め決められたルールに従い決定される、請求項１０に記載の通信デバイス。
【請求項１３】
前記優先順位カテゴリは、アプリケーションレベルにおけるトラフィック割り当てに従い決定される、請求項１０に記載の通信デバイス。
【請求項１４】
前記優先順位カテゴリは、前記マルチキャスト診断情報の分析に従い決定される、請求項１０に記載の通信デバイス。
【請求項１５】
前記マルチキャスト診断情報は、前記複数のマルチキャスト通信受信者のうちの１つ以上から受け取った、受信マルチキャストフレームカウント情報を含む、請求項１０に記載の通信デバイス。
【請求項１６】
前記診断ユニットは、前記複数のマルチキャスト通信受信者の１つ以上のパフォーマンス測定基準に基づき、前記リーダを指定する、請求項１０に記載の通信デバイス。
【請求項１７】
新しいリーダに関連付けられたパフォーマンス測定基準が、以前に指定されたリーダに関連付けられた対応するパフォーマンス測定基準より大きく、且つ、履歴条件に合致する場合、前記診断ユニットは、他のマルチキャスト通信受信者を新しいリーダとして指定し直す、請求項１０に記載の通信デバイス。
【請求項１８】
新しいリーダに関連付けられたパフォーマンス測定基準が、以前に指定されたリーダに関連付けられた対応するパフォーマンス測定基準より小さく、且つ、履歴条件に合致する場合、前記診断ユニットは、他のマルチキャスト通信受信者を新しいリーダとして指定し直す、請求項１０に記載の通信デバイス。
【請求項１９】
無線通信システムであって、
少なくとも１つの通信デバイスを備え、
前記少なくとも１つの通信デバイスは、
無線通信信号を送信するダイポールアンテナと、
複数のマルチキャスト通信受信者にマルチキャスト通信を送信する送信機と、
前記マルチキャスト通信の優先順位カテゴリを決定し、前記優先順位カテゴリ、および、前記複数のマルチキャスト通信受信者のうちの１つ以上から受け取ったマルチキャスト診断情報に基づき、前記複数のマルチキャスト通信受信者のうちの１つをリーダとして指定する診断ユニットと、
を有し、
前記リーダは、前記通信デバイスからマルチキャスト通信フレームを受け取ったことを示す受け取り通知フレームを送信すべく指定される、
無線通信システム。
【請求項２０】
前記通信デバイスは、前記受け取り通知フレーム、および、前記診断情報を受信する受信機を有する、請求項１９に記載の無線通信システム。
【請求項２１】
前記優先順位カテゴリは、前記マルチキャスト通信に要求される信頼性の条件に基づく、請求項１９に記載の無線通信システム。
【請求項２２】
コンピュータに、
送信されるマルチキャスト通信の優先順位カテゴリを決定する手順と、
複数のマルチキャスト通信受信者のうちの１つを前記マルチキャスト通信のリーダとして指定する手順と、
を実行させ、
前記リーダは、マルチキャスト通信資源からマルチキャスト通信フレームを受け取ったことを示す受け取り通知フレームを前記マルチキャスト通信資源に送信すべく指定され、
前記リーダを指定する手順は、前記優先順位カテゴリ、および、前記複数のマルチキャスト通信受信者のうちの１つ以上から受け取ったマルチキャスト診断情報に基づく、
プログラム。
【請求項２３】
コンピュータに、
前記マルチキャスト診断情報の分析に従い、前記優先順位カテゴリを決定する手順を実行させる、
請求項２２に記載のプログラム。
【請求項２４】
コンピュータに、
前記複数のマルチキャスト通信受信者の１つ以上のパフォーマンス測定基準に基づき、前記リーダを指定する手順を実行させる、
請求項２２に記載のプログラム。
【国際調査報告】
2010517436.tif 000005
2010517436.tif 000006